(57)【要約】【課題】放送受信・記録機能を備えた移動通信端末において、ＮＶＯＤを採用しないような放送に対しても、圏内エリアから圏外エリアへ入ることによって発生する欠落部分を補完できるようにする。【解決手段】車両用ナビゲーション装置３のそれぞれは、放送局４の放送信号を受信すると、それを放送データとして記録する。そして、記録した放送データを、ユーザの要求に応じて再生する。また、各車両用ナビゲーション装置３は、記録した放送データを、基地局５およびネットワーク６を介して、サーバ７に送信する。サーバ７は、複数の車両用ナビゲーション装置３から放送データを受信して蓄積する。また、各車両用ナビゲーション装置３は、放送局４からの放送信号を受信できない圏外エリアに入ったために、記録する放送データに欠落部分が生じてしまった場合に、サーバ７に対して当該欠落部分を要求することで、当該欠落部分をサーバ７から受信する。【選択図】図１
2009077038.tif 000002
【特許請求の範囲】
【請求項１】
放送局の放送を受信して放送データとして記録すると共に記録した前記放送データを再生する移動通信端末と、前記複数の移動通信端末と通信するサーバとを備えた放送データ補完システムであって、
前記複数の移動通信端末のそれぞれは、受信して記録した前記放送データを前記サーバに送信し、また、前記放送の受信が不可能であったことによって生じる前記放送データの欠落部分を特定し、また、特定した前記欠落部分を、前記サーバに要求して受信し、
前記サーバは、前記複数の移動通信端末のそれぞれから送信された放送データを受信して記録し、また、前記移動通信端末のいずれかから、記録した前記放送データの一部を要求されると、当該一部を要求元の移動通信端末に送信することを特徴とする放送データ補完システム。
【請求項２】
前記複数の移動通信端末のそれぞれは、前記欠落部分の量が基準値より小さい場合には、前記複数の移動通信端末のうち他の移動通信端末に前記欠落部分を要求して受信し、また、前記複数の移動通信端末のうち他の車載放送データ受信から、記録した前記放送データの一部を要求されると、当該一部を要求元の移動通信端末に送信することを特徴とする放送データ補完システム。
【請求項３】
複数の車両のそれぞれに搭載され、放送局の放送を受信して放送データとして記録すると共に記録した前記放送データを再生する移動通信端末であって、
複数の移動通信端末のそれぞれが前記放送局からの放送を受信して放送データとして送信したものを受信して記録し、また、記録した前記放送データの一部を要求されると、当該一部を要求元に送信するサーバ、に対して、受信して記録した前記放送データを送信する送信手段と、
前記放送の受信が不可能であったことによって生じる放送データの欠落部分を特定する欠落部分特定手段と、
前記欠落部分特定手段が特定した前記欠落部分を、前記サーバに要求して受信する欠落部分受信手段と、を備えたことを特徴とする移動通信端末。
【発明の詳細な説明】
【技術分野】
【０００１】
本発明は、放送受信機能を有する移動通信端末および放送データ補完システムに関する。
【背景技術】
【０００２】
近年、車両用ナビゲーション装置、携帯電話機等の移動端末で、放送局からのテレビ、ラジオ放送を受信して音声出力、画像表示等を行う機能を備えたものがある。それらの中には、受信した放送を放送データとして記録する機能を備えたものもある。
【０００３】
このような、放送受信・記録機能を備えた移動通信端末は、放送を受信可能な圏内エリアから放送を受信不可能な圏外エリアに外れると、放送を受信できなくなり、記録する放送データに欠落部分が発生し、欠落部分の視聴または聴取ができなくなってしまう。  
【０００４】
このような問題を解決するために、特許文献１では、データ欠落が発生すると代替番組によりデータを補完する技術が開示されている。また、特許文献２では、ＮＶＯＤ（Ｎｅａｒ  Ｖｉｄｅｏ  ＯＮ−Ｄｅｍｅｎｄ）を利用し、時間をずらせた同一放送のデータを近似セグメントから受信することで欠落部分を補完する技術が開示されている。
【特許文献１】特開２００７−１９７７４号公報
【特許文献２】特開２００６−２３８１８７号公報
【発明の開示】
【発明が解決しようとする課題】
【０００５】
しかし、特許文献１に記載の方法では、代替番組が存在しない場合にはやはり圏外エリア中の放送を視聴することは不可能であり、またあくまでも代替番組であるため、当初の目的である番組の欠落部分を完全に修復することはできない。
【０００６】
また、特許文献２に記載の方法では、当初の目的である番組の欠落部分を完全に修復することは可能であるものの、放送局がＮＶＯＤを採用する必要があるので、放送局の設備に負担がかかる。
【０００７】
本発明は上記点に鑑み、放送受信・記録機能を備えた移動通信端末において、ＮＶＯＤを採用しないような放送に対しても、圏内エリアから圏外エリアへ入ることによって発生する欠落部分を補完できるようにすることを目的とする。
【課題を解決するための手段】
【０００８】
上記目的を達成するための本発明の特徴は、放送局の放送を受信して放送データとして記録すると共に記録した放送データを再生する移動通信端末と、当該複数の移動通信端末と通信するサーバとを備えた放送データ補完システムについてのものである。
【０００９】
この放送データ補完システムにおいて、移動通信端末のそれぞれは、受信して記録した放送データをサーバに送信し、また、当該放送の受信が不可能であったことによって生じる放送データの欠落部分を特定し、また、特定した欠落部分をサーバに要求して受信する。
【００１０】
そしてサーバは、これら複数の移動通信端末のそれぞれから送信された放送データを受信して記録し、また、移動通信端末のいずれかから、記録した放送データの一部を要求されると、当該一部を要求元の移動通信端末に送信する。
【００１１】
このように、サーバには、複数の移動通信端末によって記録された放送データが集約される。したがって、１つの移動通信端末において放送データに欠落部分があっても、他の移動通信端末が、その欠落部分を含んだ放送データをサーバに送信していれば、サーバは、当該欠落部分を前者の移動通信端末に（要求があれば）送信することができる。
【００１２】
したがって、このような放送データ補完システムを採用することで、移動通信端末は、ＮＶＯＤを採用しないような放送に対しても、圏内エリアから圏外エリアへ入ることによって発生する欠落部分を、サーバから補完できる。そしてユーザは、欠落のない放送の視聴または聴取を行うことができる。
【００１３】
また、複数の移動通信端末のそれぞれは、欠落期間が基準値より小さい場合には、複数の移動通信端末のうち他の移動通信端末に欠落部分を要求して受信し、また、複数の移動通信端末のうち他の移動通信端末から、記録した放送データの一部を要求されると、当該一部を要求元の移動通信端末に送信するようになっていてもよい。
【００１４】
このようになっていれば、ある移動通信端末が他の移動通信端末に欠落部分を要求すると、当該他の移動通信端末は、前者の移動通信端末に当該欠落部分を（あれば）送信する。
【００１５】
このように、欠落部分の量が小さい場合には、車車間通信によってその欠落部分を補うことで、サーバとの通信量が抑えられる。例えば、建築物によって電波が遮蔽される領域や、短いトンネル内などの、さほど広くない圏外エリアにおける欠落部分の発生は、その頻度が非常に高くなる可能性がある。このような場合に、毎回サーバに対して欠落データを要求してしまうと、サーバにかかる負荷が高くなり過ぎてしまう可能性がある。そのような場合に、車車間通信を使用することで、サーバの負荷を低減することができる。
【発明を実施するための最良の形態】
【００１６】
（第１実施形態）
以下、本発明の第１実施形態について説明する。図１に、本実施形態に係る放送データ補完システムの構成を概略的に示す。この図に示すように、放送データ補完システムにおいては、複数の車両１、２のそれぞれに搭載された車両用ナビゲーション装置３が、放送局４から放送用信号を受信する。ここで、放送局４は、デジタルテレビ、アナログテレビ、デジタルラジオ、およびアナログラジオのうちいずれの放送局であってもよい。
【００１７】
車両用ナビゲーション装置３のそれぞれは、放送局４の放送信号を受信すると、それを放送データとして記録する。そして、記録した放送データを、ユーザの要求に応じて再生する。
【００１８】
また、各車両用ナビゲーション装置３は、記録した放送データを、無線通信の基地局５および通信ネットワーク（例えばインターネット等の広域ネットワーク）６を介して、サーバ７に送信する。サーバ７は、複数の車両用ナビゲーション装置３から放送データを受信して蓄積する。
【００１９】
また、各車両用ナビゲーション装置３は、放送局４からの放送信号を受信できない圏外エリアに入ったために、記録する放送データに欠落部分が生じてしまった場合に、サーバ７に対して当該欠落部分を要求することで、当該欠落部分をサーバ７から受信する。
【００２０】
以下、このような放送データ補完システムの構成および作動について詳細に説明する。図２に、サーバ７のハードウェア構成を示す。サーバ７は、通信インターフェース７１、放送データ記憶部７２、および制御部７３を有している。
【００２１】
通信インターフェース７１は、通信ネットワーク６、基地局５を介した車両用ナビゲーション装置３との通信を実現するための周知のネットワークインターフェース回路である。放送データ記憶部７２は、車両用ナビゲーション装置３から送信された放送データを記録するための不揮発性の書き込み可能な記憶媒体を有している。
【００２２】
制御回路（コンピュータの一例に相当する）７３は、ＣＰＵ、ＲＡＭ、ＲＯＭ、Ｉ／Ｏ等を有するマイコンである。ＣＰＵは、ＲＯＭから読み出した車両用ナビゲーション装置３の動作のためのプログラムを実行し、その実行の際にはＲＡＭ、ＲＯＭから情報を読み出し、ＲＡＭおよび放送データ記憶部７２に対して情報の書き込みを行い、通信インターフェース７１を用いて車両用ナビゲーション装置３のそれぞれと通信を行う。制御部７３の具体的な作動については後述する。
【００２３】
図３に、車両用ナビゲーション装置３のハードウェア構成を示す。車両用ナビゲーション装置３は、無線部１０、位置検出器１１、画像表示装置１２、操作部１３、スピーカ１４、チューナ部１５、地図・放送データ記憶部１６、および制御回路１７を有している。
【００２４】
無線部１０は、基地局５、通信ネットワーク６を介してサーバ７と通信するための変調、復調、周波数変換、増幅等の処理を行う回路である。制御回路１７は、この無線部１０を用いてサーバ７とデータのやりとりを行うことができる。
【００２５】
位置検出器１１は、周知のジャイロスコープ、車速センサ、およびＧＰＳ受信機等のセンサを有しており、これらセンサの各々の性質に基づいた、車両の現在位置等特定する。画像表示装置１２は、制御回路１７からの制御に応じて地図、テレビ映像等の画像をユーザに表示する。操作部１３は、ユーザによる操作を受け付け、受け付けた操作に応じた信号を制御回路１７に出力する。
【００２６】
チューナ部１５は、放送局４からの放送信号を受信するための増幅、周波数変換、復調等の処理を行う回路である。このチューナ部１５が対象とする放送は、デジタルテレビ放送、アナログテレビ放送、デジタルラジオ放送、およびアナログラジオ放送のうち全部であってもよいし一部であってもよい。
【００２７】
地図・放送データ記憶部１６は、ＨＤＤ等の不揮発性の書き込み可能な記憶媒体から成る。当該記憶媒体は、制御回路１７が実行するプログラム、後述するナビゲーション処理用の地図データ、を記憶している。また、地図・放送データ記憶部１６には上述の放送データが記録されるようになっている。
【００２８】
制御回路（コンピュータの一例に相当する）１７は、ＣＰＵ、ＲＡＭ、ＲＯＭ、Ｉ／Ｏ等を有するマイコンである。ＣＰＵは、ＲＯＭまたは地図・放送データ記憶部１６から読み出した車両用ナビゲーション装置３の動作のためのプログラムを実行し、その実行の際にはＲＡＭ、ＲＯＭ、および地図・放送データ記憶部１６から情報を読み出し、ＲＡＭおよび（可能であれば）地図・放送データ記憶部１６の記憶媒体に対して情報の書き込みを行い、無線部１０、位置検出器１１、画像表示装置１２、操作部１３、スピーカ１４、チューナ部１５等と信号の授受を行う。
【００２９】
制御回路１７がプログラムを実行することによって行う具体的な処理としては、ナビゲーション処理、放送受信・表示処理、放送記録処理、放送データ再生処理がある。
【００３０】
ナビゲーション処理は、位置検出器１１によって検出した現在位置から、操作部１３を介してユーザから指定された目的地までの誘導経路を算出し、地図・放送データ記憶部１６から地図データを読み出し、算出された誘導経路、目的地、現在位置等をこの地図データの示す地図上に重ねた画像を、画像表示装置１２に表示させ、誘導経路に沿った右左折交差点の手前に自車両が到達したとき等の必要時に、右折、左折等を指示する案内音声信号をスピーカ１４に出力させる処理である。
【００３１】
放送受信・表示処理は、チューナ部１５によって受信した放送信号を、ユーザに表示する処理である。具体的には、操作部１３を介してユーザが指定したチャネルの放送信号を、テレビ放送なら映像および音声として画像表示装置１２、スピーカ１４に出力させ、ラジオ放送なら音声としてスピーカ１４に出力させる。
【００３２】
放送記録処理は、操作部１３に対するユーザの所定の操作に応じて、チューナ部１５によってユーザが指定したチャネルで受信した放送信号を、放送データとして、地図・放送データ記憶部１６に記録する処理である。
【００３３】
なお、デジタル放送に対応する放送データは、放送局４から送信されたデータ（例えば、ｍｐｅｇ２−ｔｓデータ）そのものであってもよい。また、アナログ放送に対応する放送データは、受信した放送信号に所定のデジタルエンコード（例えば、ｍｐｅｇ２データへの変換、ｍｐ３データへの変換等）を施した結果のデータであってもよい。
【００３４】
放送データ再生処理は、地図・放送データ記憶部１６に記録された放送データを読み出して、テレビ放送の放送データなら画像表示装置１２およびスピーカ１４に当該データの示す映像および音声を出力させ、ラジオ放送の放送データならスピーカ１４に当該データの示す音声を出力させる処理である。
【００３５】
制御回路１７は、放送受信・表示処理、放送記録処理、放送データ再生処理を複合的に実行することで、いわゆる「追っかけ再生」を実現することができる。すなわち、制御回路１７は、放送受信・表示処理と並行して放送記録処理を実行することで、受信した放送信号を表示すると共に放送データとして記録する。そして、操作部１３に対してユーザの一時停止、巻き戻し等の操作があったことを検出すると、放送データ再生処理を開始することで、現在放送データとして引き続き記録しているデータの一部を読み出して再生する。
【００３６】
ここで、放送記録処理の詳細について、対応するサーバ７の制御部７３の処理内容と共に説明する。本実施形態における放送記録処理は、放送局４からの放送信号を受信できない圏外エリアに入ってしまった結果放送データに欠落部分が生じてしまった場合に、そのデータをサーバ７から補完する処理を含んでいる。
【００３７】
図４に、この放送記録処理のために制御回路１７が実行するプログラム１００のフローチャートを示す。このプログラム１００の実行において、制御回路１７は、まずステップ１０５で、受信している放送信号に対応する放送データの記録を開始する。
【００３８】
なお、本実施形態においては、デジタル放送の放送信号には、その信号の送出時刻を示すタイムスタンプが所定間隔（例えば１／３０秒間隔）で含まれており、制御回路１７は、このタイムスタンプを含んだ形で放送データを記録する。また、アナログ放送信号を放送データとして記録する場合には、放送データへの変換時に、制御回路１７が現在時刻のタイムスタンプを所定間隔で生成し、当該放送データに含める。
【００３９】
続いてステップ１１０で、未送信データのデータ量ａが基準量ｂより大きくなったか否かを判定する。未送信データとは、地図・放送データ記憶部１６に記録した放送データのうち、またサーバ７に送信していないデータである。基準量ｂ以下の場合は続いてステップ１２０を実行し、基準量ｂを超えた場合は続いてステップ１１５を実行する。
【００４０】
ステップ１１５では、当該未送信データを、無線部１０を用いてサーバ７に送信する。なお、これから送信する未送信データには、受信チャネルの情報も含める。この未送信データを通信インターフェース７１を介して受信したサーバ７の制御部７３は、受信したデータを、放送データ群の一部として、放送データ記憶部７２に記録する。車両用ナビゲーション装置３の制御回路１７は、ステップ１１５の後ステップ１２０を実行する。
【００４１】
ステップ１２０では、放送局４からの放送信号が途絶したか否かを、例えばチューナ部１５における放送信号の受信レベル等に基づいて判定する。放送信号が途絶する場合としては、圏内エリアから圏外エリアに自車両が入る場合がある。途絶していない場合続いてステップ１１０を実行し、途絶した場合続いてステップ１２５を実行する。
【００４２】
このようなステップ１１０〜１２０の処理により、制御回路１７は、放送信号の途絶がない限り、放送データを記録し、未送信データが所定量ｂだけ貯まる度に、当該未送信データをサーバ７に送信する。
【００４３】
放送信号が途絶した後のステップ１２５では、放送データの記録を中断する。続いてステップ１３０では、放送信号が途絶した時点の途絶時刻Ｔ１を記録する。続いてステップ１３５では、放送局４からの放送信号の途絶が解消して受信が再開されるまで待つ。
【００４４】
再開された場合、続いてステップ１４０で、その再開した時点の時刻Ｔ２と、ステップ１３０で記録した途絶時刻Ｔ１との差を、途絶時間長Ｔ３として算出する。
【００４５】
続いてステップ１４５では、欠落部分のある放送データの受信チャネル、および、当該途絶時刻Ｔ１および途絶時間長Ｔ３の情報と共に、欠落部分の差分データを要求する信号を、無線部１０を用いてサーバ７に送信する。
【００４６】
ここで、当該途絶時刻Ｔ１および途絶時間長Ｔ３の情報により、放送データが欠落した期間を特定することができる。したがって、当該途絶時刻Ｔ１および途絶時間長Ｔ３の情報は、欠落期間の情報である。また、欠落期間の情報と受信チャネルの情報は、放送データの欠落部分を特定することのできる情報の一例である。
【００４７】
このような、要求信号等を受信したサーバ７の制御部７３は、放送データ記憶部７２中の放送データ群から、当該要求信号に付随するチャネルおよび欠落期間の情報に合致するデータを抽出し、抽出したデータを差分データとして、通信インターフェース７１を用いて、要求信号の送信元の車両用ナビゲーション装置３に送信する。
【００４８】
車両用ナビゲーション装置３の制御回路１７は、引き続きステップ１４５で、サーバ７から自機宛てに送信された差分データを、無線部１０を介して受信する。続いてステップ１５０で、当該差分データを放送データの欠落部分に組み込むことで、欠落部分の補完を行う。
【００４９】
続いてステップ１６０で、放送信号の記録を再開し、その後再度ステップ１１０を実行する。なお、放送信号の記録の再開は、ステップ１３５の直後に行うようになっていてもよい。その場合、記録の再開後にステップ１４０を実行し、ステップ１５０に続いてステップ１１０を実行するようになっていてもよい。
【００５０】
以上のようなプログラム１００を実行することで、制御回路１７は、受信した放送信号を放送データとして記録開始し（ステップ１０５参照）、逐次記録した放送データを所定量ａ毎に（ステップ１１０参照）サーバ７へ送信する（ステップ１１５参照）。そして制御回路１７は、放送局４からの放送信号が途絶すると（ステップ１２０参照）、その時点で放送データの記録を停止し（ステップ１２５参照）、その後、途絶時点から放送信号受信再開時までの経過時間である欠落期間を特定し（ステップ１３０、１３５、１４０参照）、その欠落期間の情報および受信チャネルの情報と共に、欠落部分を補完する差分データをサーバ７に送信し、その応答として当該差分データをサーバ７から受信し、（ステップ１４５参照）受信した差分データを用いて放送データの欠落部分を補完する（ステップ１５０参照）と共に、放送信号の送信および記録を再開する（ステップ１６０参照）。
【００５１】
このように、車両用ナビゲーション装置３のそれぞれは、受信して記録した放送データをサーバ７に送信し、また、当該放送の受信が不可能であったことによって生じる放送データの欠落部分を欠落期間として特定し、また、特定した欠落部分をサーバ７に要求して受信する。
【００５２】
そしてサーバ７は、これら複数の車両用ナビゲーション装置３のそれぞれから送信された放送データを受信して記録し、また、車両用ナビゲーション装置３のいずれかから、記録した放送データの一部を要求されると、当該一部を要求元の車両用ナビゲーション装置３に送信する。
【００５３】
このように、サーバ７には、複数の車両用ナビゲーション装置３によって記録された放送データが集約される。したがって、１つの車両用ナビゲーション装置３において放送データに欠落部分があっても、他の車両用ナビゲーション装置３が、その欠落部分を含んだ放送データをサーバ７に送信していれば、サーバ７は、当該欠落部分を前者の車両用ナビゲーション装置３に（要求があれば）送信することができる。
【００５４】
したがって、このような放送データ補完システムを採用することで、車両用ナビゲーション装置３は、ＮＶＯＤを採用しないような放送に対しても、圏内エリアから圏外エリアへ入ることによって発生する欠落部分を、サーバ７から補完できる。そしてユーザは、欠落のない放送の視聴または聴取を行うことができる。
【００５５】
なお、本実施形態の放送データ補完システムは、ＮＶＯＤを採用する必要がないので、放送局４が同じ番組を時間をずらせて複数チャネル（または複数セグメント）で送信する必要がなく、放送局４における設備負荷が低減する。
【００５６】
また、ＮＶＯＤを用いた場合、同じ番組の放送時間のずれがあらかじめ（例えば１０分間隔に）決まっているので、欠落部分を取得するためにその部分の放送時間が来るのを待つ必要がある。しかし、本実施形態においては、欠落部分が特定されれば直ちにサーバ７からそれを取得することができるので、欠落部分の補完を従来よりも迅速に行うことができる。
【００５７】
（第２実施形態）
次に、本発明の第２実施形態について説明する。本実施形態が第１実施形態と異なるのは、制御回路１７が、プログラム１００に代えて図５に示すプログラム２００を実行することである。なお、図４と図５において同一の符号が付されたステップは、互いに同一の処理を行うものであり、ここではそれらの詳細についての説明は省略する。
【００５８】
制御回路１７は、プログラム２００の実行において、途絶時間長Ｔ３をステップ１４０で算出した後、続いてステップ２４０で、その途絶時間長Ｔ３が基準値Ｔ４より大きいか否かを判定し、大きければ続いてステップ１４５で第１実施形態と同様にサーバ７から差分データを取得し、小さければ続いてステップ２４８を実行する。
【００５９】
ステップ２４８では、ステップ１４５でサーバ７に送信する要求信号およびそれに付随する欠落期間情報および受信チャネル情報と同じものを、他の複数車両の車両用ナビゲーション装置３のうち、自機の通信可能範囲にある車両用ナビゲーション装置３に送信する。
【００６０】
なお、本実施形態の制御回路１７は、他の車両用ナビゲーション装置３から要求信号およびそれに付随する欠落期間情報および受信チャネル情報を受信すると、第１実施形態のサーバ７と同様に、それに合致する放送データを地図・放送データ記憶部１６から（あれば）抽出し、抽出したデータを差分データとして、要求信号の送信元の車両用ナビゲーション装置３に送信する。その差分データを受信した車両用ナビゲーション装置３は、第1実施形態と同様に、差分データを用いて放送データの欠落部分を補完する。ステップ２４８に続いては、ステップ１５０を実行する。
【００６１】
このように、車両用ナビゲーション装置３のそれぞれは、欠落期間が基準値Ｔ４より小さい場合には、複数の車両用ナビゲーション装置３のうち他の車両用ナビゲーション装置３に欠落部分を要求して受信し、また、複数の車両用ナビゲーション装置３のうち他の車両用ナビゲーション装置３から、記録した放送データの一部を要求されると、当該一部を要求元の車両用ナビゲーション装置３に送信するようになっている。
【００６２】
このようになっていれば、ある車両用ナビゲーション装置３が他の車両用ナビゲーション装置３に欠落部分を要求すると、当該他の車両用ナビゲーション装置３は、前者の車両用ナビゲーション装置３に当該欠落部分を（あれば）送信する。
【００６３】
このように、欠落部分の量が小さい場合には、車車間通信によってその欠落部分を補うことで、サーバ７との通信量が抑えられる。例えば、建築物によって電波が遮蔽される領域や、短いトンネル内などの、さほど広くない圏外エリアにおける欠落部分の発生は、その頻度が非常に高くなる可能性がある。このような場合に、毎回サーバ７に対して欠落データを要求してしまうと、サーバ７にかかる負荷が高くなり過ぎてしまう可能性がある。そのような場合に、車車間通信を使用することで、サーバ７の負荷を低減することができる。また、サーバ７と車両用ナビゲーション装置３との間の通信速度よりも、車車間通信の通信速度の方が小さい場合には、本実施形態が有効である。
【００６４】
なお、上記の実施形態においては、車両用ナビゲーション装置３が移動通信端末の一例に相当する。また、制御回路１７がプログラム１００のステップ１１０、１１５を実行することで送信手段の一例として機能し、ステップ１３０、１３５、１４０を実行することで欠落部分特定手段の一例として機能し、ステップ１４５を実行することで欠落部分受信手段の一例として機能する。
【００６５】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００６６】
例えば、上記実施形態においては、車両用ナビゲーション装置３が移動通信端末の一例として示されているが、車両用ナビゲーション装置３は他の車載装置であってもよいし、あるいは、ユーザが形態して移動できる通信装置（例えば携帯電話機）であってもよい。すなわち、通信機能と放送受信・録画機能を有している移動通信端末ならば、どのようなものにも、本発明は適用可能である。
【００６７】
また、上記実施形態においては、欠落部分を特定することのできる情報は、欠落期間および受信チャネルの情報であったが、欠落部分を示す情報は、これ以外のものを用いてもよい。例えば、放送データに、受信時間順に通し番号が付与されていれば、その通し番号の欠落箇所の情報を、欠落期間に代えて用いてもよい。
【００６８】
また、上記の実施形態において、制御回路１７がプログラムを実行することで実現している各機能は、それらの機能を有するハードウェア（例えば回路構成をプログラムすることが可能なＦＰＧＡ）を用いて実現するようになっていてもよい。
【図面の簡単な説明】
【００６９】
【図１】本発明の実施形態に係る放送データ補完システムの構成を概略的に示す図である。
【図２】サーバ７のハードウェア構成を示すブロック図である。
【図３】車両用ナビゲーション装置３のハードウェア構成を示すブロック図である。
【図４】車両用ナビゲーション装置３の制御回路１７が実行するプログラム１００のフローチャートである。
【図５】第２実施形態において車両用ナビゲーション装置３の制御回路１７が実行するプログラム２００のフローチャートである。
【符号の説明】
【００７０】
１…車両、２…車両、３…車両用ナビゲーション装置、４…放送局、５…基地局、
６…通信ネットワーク、７…サーバ、１０…無線部、１１…位置検出器、
１２…画像表示装置、１３…操作部、１４…スピーカ、１５…チューナ部、
１６…地図・放送データ記憶部、１７…制御回路、７１…通信インターフェース、
７２…放送データ記憶部、７３…制御部、１００、２００…プログラム。
【図１】
2009077038.tif 000003
【図２】
2009077038.tif 000004
【図３】
2009077038.tif 000005
【図４】
2009077038.tif 000006
【図５】
2009077038.tif 000007